(57)【要約】【課題】ＡＣインレットの被取付部材への取り付けが容易で、且つ、ＡＣインレットとケースとを確実に固定することが可能なＡＣインレットの取付構造を提供すること。【解決手段】ＡＣインレットフィルタユニット１０は、突起３２が設けられた胴部１８と鍔部２０とを有するＡＣインレット１２と、側壁３４に開口を有するケース１４と、一対の固定部材４４を有する固定部品１６とにより構成される。ケース１４の開口にＡＣインレット１２の胴部１８が挿通されてＡＣインレット１２の鍔部２０がケース１４の側壁３４に当接した状態で、ケース１４と突起３２との間に介在された固定部材４４は、ＡＣインレット１２の突起３２とケース１４の側壁３４及びＡＣインレット１２の鍔部２０とによって挟持されている。【選択図】図２
2008034303.tif 000002
【特許請求の範囲】
【請求項１】
ＡＣインレットを固定部材によって被取付部材に取り付ける取付構造であって、
前記ＡＣインレットは、突起が設けられた胴部と鍔部とを有し、
前記被取付部材には、前記ＡＣインレットの前記胴部及び前記突起が挿通可能とされ且つ前記ＡＣインレットの前記鍔部が挿通不可能とされた開口が形成されており、
前記ＡＣインレットの前記胴部及び前記突起が前記被取付部材の開口に挿通されて前記ＡＣインレットの前記鍔部が前記被取付部材に当接した状態で前記被取付部材と前記突起との間に介在された前記固定部材が、前記ＡＣインレットの前記突起と前記被取付部材及び前記ＡＣインレットの前記鍔部とによって挟持されていることを特徴とするＡＣインレットの取付構造。
【請求項２】
ＡＣインレットを一対の固定部材によって被取付部材に取り付ける取付構造であって、
前記固定部材は、第１の部分及び該第１の部分から突出する第２の部分を有し、
前記ＡＣインレットは、胴部と鍔部とを有し、
前記胴部には、前記鍔部に向かって開放され且つ前記固定部材の前記第２の部分が係合可能とされる溝が形成された突起が前記胴部を挟んで一対設けられ、
前記被取付部材には、前記ＡＣインレットの前記胴部及び前記突起が挿通可能とされ且つ前記ＡＣインレットの前記鍔部が挿通不可能とされた開口が形成されており、
前記ＡＣインレットの前記胴部及び前記突起が前記被取付部材の開口に挿通されて前記ＡＣインレットの前記鍔部が前記被取付部材に当接した状態で前記固定部材の前記第２の部分と前記突起の前記溝とが係合されるように前記被取付部材と前記突起との間に介在された前記固定部材の前記第１の部分が、前記ＡＣインレットの前記突起と前記被取付部材及び前記ＡＣインレットの前記鍔部とによって挟持されていることを特徴とするＡＣインレットの取付構造。
【請求項３】
前記一対の固定部材は、前記連結部材によって連結されていることを特徴とする請求項２に記載されたＡＣインレットの取付構造。
【発明の詳細な説明】
【技術分野】
【０００１】
本発明は、ＡＣインレットの取付構造に関する。
【背景技術】
【０００２】
従来、ＡＣインレットをコイルやコンデンサ等の電子部品が搭載された被取付部材（ケース）に取り付けるために、ＡＣインレットと被取付部材とをねじ等によって固定していた（例えば、特許文献１参照）。
【特許文献１】実開平６−１３０８１号公報
【発明の開示】
【発明が解決しようとする課題】
【０００３】
しかしながら、ＡＣインレットと被取付部材とをねじ等によって固定する場合には、ＡＣインレット及び被取付部材にねじ穴を設け、更にそのねじ穴に雌ねじを切る必要があり、加工に手間を要するものであった。また、ねじによってＡＣインレットを被取付部材に取り付けるため、組み立て作業が面倒なものであった。
【０００４】
そこで、ＡＣインレットと被取付部材との取付を容易にするために、外側に向けて付勢された係止部材をＡＣインレットの胴部に設け、この係止部材によってＡＣインレットが被取付部材から脱落しないようにＡＣインレットを被取付部材に取り付けるようにしたスナップイン方式が知られている。しかしながら、スナップイン方式では、ＡＣインレットと被取付部材との間に隙間が生じるので、被取付部材に取り付けられたＡＣインレットがガタついてしまうことがあった。
【０００５】
そこで、本発明は、ＡＣインレットの被取付部材への取り付けが容易で、且つ、ＡＣインレットと被取付部材とを確実に固定することが可能なＡＣインレットの取付構造を提供することを目的とする。
【課題を解決するための手段】
【０００６】
本発明に係るＡＣインレットの取付構造は、ＡＣインレットを固定部材によって被取付部材に取り付ける取付構造であって、ＡＣインレットは、突起が設けられた胴部と鍔部とを有し、被取付部材には、ＡＣインレットの胴部及び突起が挿通可能とされ且つＡＣインレットの鍔部が挿通不可能とされた開口が形成されており、ＡＣインレットの胴部及び突起が被取付部材の開口に挿通されてＡＣインレットの鍔部が被取付部材に当接した状態で被取付部材と突起との間に介在された固定部材が、ＡＣインレットの突起と被取付部材及びＡＣインレットの鍔部とによって挟持されていることを特徴とする。
【０００７】
本発明に係るＡＣインレットの取付構造では、固定部材が、被取付部材と突起との間に介在され、ＡＣインレットの突起と被取付部材及びＡＣインレットの鍔部とによって挟持されることで、ＡＣインレットが被取付部材に取り付けられる。そのため、固定部材がＡＣインレットの突起と被取付部材及びＡＣインレットの鍔部とによって挟持された反作用として、固定部材からＡＣインレットの突起と被取付部材及びＡＣインレットの鍔部とに対して押圧力が付与されることとなる。その結果、固定部材からの押圧力によってＡＣインレットと被取付部材とが押さえつけられ、被取付部材に取り付けられたＡＣインレットにガタつきが発生し難くなり、ＡＣインレットと被取付部材とを確実に固定することが可能となる。また、固定部材を被取付部材と突起との間に挿入するだけでＡＣインレットを被取付部材に取り付けることができるようになるので、ねじ等を用いる必要がなくなり、ＡＣインレットの被取付部材への取り付けが容易となる。
【０００８】
また、本発明に係るＡＣインレットの取付構造は、ＡＣインレットを一対の固定部材によって被取付部材に取り付ける取付構造であって、固定部材は、第１の部分及びその第１の部分から突出する第２の部分を有し、ＡＣインレットは、胴部と鍔部とを有し、胴部には、鍔部に向かって開放され且つ固定部材の第２の部分が係合可能とされる溝が形成された突起が胴部を挟んで一対設けられ、被取付部材には、ＡＣインレットの胴部及び突起が挿通可能とされ且つＡＣインレットの鍔部が挿通不可能とされた開口が形成されており、ＡＣインレットの胴部及び突起が被取付部材の開口に挿通されてＡＣインレットの鍔部が被取付部材に当接した状態で固定部材の第２の部分と突起の溝とが係合されるように被取付部材と突起との間に介在された固定部材の第１の部分が、ＡＣインレットの突起と被取付部材及びＡＣインレットの鍔部とによって挟持されていることを特徴とする。
【０００９】
本発明に係るＡＣインレットの取付構造では、固定部材が、被取付部材と突起との間に介在され、ＡＣインレットの突起と被取付部材及びＡＣインレットの鍔部とによって挟持されることで、ＡＣインレットが被取付部材に取り付けられる。そのため、固定部材がＡＣインレットの突起と被取付部材及びＡＣインレットの鍔部とによって挟持された反作用として、固定部材からＡＣインレットの突起と被取付部材及びＡＣインレットの鍔部とに対して押圧力が付与されることとなる。その結果、固定部材からの押圧力によってＡＣインレットと被取付部材とが押さえつけられ、被取付部材に取り付けられたＡＣインレットにガタつきが発生し難くなり、ＡＣインレットと被取付部材とを確実に固定することが可能となる。また、固定部材を被取付部材と突起との間に挿入するだけでＡＣインレットを被取付部材に取り付けることができるようになるので、ねじ等を用いる必要がなくなり、ＡＣインレットの被取付部材への取り付けが容易となる。さらに、固定部材が第１の部分と第２の部分とを有すると共に、突起が固定部材の第２の部分と係合する溝を有するので、固定部材の第２の部分を突起の溝に係合させる際に、突起の溝が固定部材の第２の部分のガイドとして機能するようになる。そのため、固定部材を突起に対して容易に装着することができるようになると共に、突起に装着された固定部材が突起から外れてしまうことを防止することが可能となる。
【００１０】
また、一対の固定部材は、連結部材によって連結されていることが好ましい。このようにすると、複数の固定部材を突起に対して別々に装着する必要がなくなるので手間が省けるようになると共に、部品点数を減らすことが可能となる。
【発明の効果】
【００１１】
本発明によれば、ＡＣインレットの被取付部材への取り付けが容易で、且つ、ＡＣインレットと被取付部材とを確実に固定することが可能なＡＣインレットの取付構造を提供することができる。
【発明を実施するための最良の形態】
【００１２】
本発明の好適な実施形態について、図面を参照して説明する。なお、説明において、同一要素又は同一機能を有する要素には同一符号を用いることとし、重複する説明は省略する。
【００１３】
（第１実施形態）
図１〜図８を参照して、第１実施形態に係るＡＣインレットの取付構造が適用されたＡＣインレットフィルタユニット１０について説明する。図１は、第１実施形態に係るＡＣインレットの取付構造が適用されたＡＣインレットフィルタユニットを示す正面側斜視図である。図２は、第１実施形態に係るＡＣインレットの取付構造が適用されたＡＣインレットフィルタユニットを示す背面側斜視図である。図３は、第１実施形態に係るＡＣインレットの取付構造が適用されたＡＣインレットフィルタユニットを示す正面図である。図４は、第１実施形態に係るＡＣインレットの取付構造が適用されたＡＣインレットフィルタユニットの内側からＡＣインレットを見た図である。図５は、図１のＶ−Ｖ線断面図である。図６は、第１実施形態に係るＡＣインレットの取付構造が適用されたＡＣインレットフィルタユニットを構成するＡＣインレットを示す斜視図である。図７は、第１実施形態に係るＡＣインレットの取付構造が適用されたＡＣインレットフィルタユニットを構成するケースを示す斜視図である。図８は、第１実施形態に係るＡＣインレットの取付構造が適用されたＡＣインレットフィルタユニットを構成する固定部品を示す図であって、（ａ）が正面側斜視図であり、（ｂ）が背面側斜視図であり、（ｃ）が側面図である。
【００１４】
ＡＣインレットフィルタユニット１０は、例えばプラズマテレビ等の電気機器に設けられ、電源コードの一端に設けられたＡＣアウトレットと接続されることで、電源からの電気を電気機器へと供給するためのものである。そのために、ＡＣインレットフィルタユニット１０は、ＡＣインレット１２と、ケース１４と、ＡＣインレット１２をケース１４に取り付けるための固定部品１６とを備えている。
【００１５】
まず、図６を参照して、ＡＣインレット１２の構造について説明する。ＡＣインレット１２は、胴部１８と鍔部２０とを有し、プラスチックによって成型されている。胴部１８は、図６において手前側に開口２２を有し、奥側に底面２４を有する有底筒状となっている。ＡＣインレット１２は、その外形が略直方体形状とされ、その内形が図示しないＡＣアウトレットと嵌合可能な形状とされている。すなわち、胴部１８は、内側に窪む凹部１８ａと、ＸＺ平面に平行な底面１８と、ＹＺ平面に平行な一対の側面３０と、ＸＹ平面に平行な一対の側面３１とを有している。側面３０，３１は、共に底面１８と隣り合い且つ底面１８と垂直に交差している。
【００１６】
胴部１８の底面２４には、一対のＡＣ電源端子２６及び１つのアース端子２８がその底面２４を貫通して設けられている。
【００１７】
胴部１８の各側面３０には、一対の突起３２が胴部１８と一体的にそれぞれ形成されている。突起３２は、図６において鉛直方向（Ｚ軸方向）に沿うように延びている。突起３２は、第１の部分３２ａと、第２の部分３２ｂとを有している。第１の部分３２ａは、胴部１８から外方に向けて突出している。第２の部分３２ｂは、第１の部分３２ａから鍔部２０に向かって突出している。すなわち、突起３２には、胴部１８と突起３２の第１の部分３２ａと突起３２の第２の部分３２ｂとで囲まれた空間によって、鍔部２０に向かって開放された溝３２ｃが形成されている。溝３２ｃは、図６において鉛直方向（Ｚ軸方向）に沿うように延びている。溝３２ｃは、固定部品１６における後述する固定部材４４の第２の部分４４ｂが係合可能となっている。突起３２の両端における溝３２ｃに向かう角部には、後述する固定部材４４の第２の部分４４ｂの溝３２ｃへの挿入を容易とするため、面取りが形成されている。
【００１８】
胴部１８の側面３０，３１には、鍔部２０が開口２２の入口側に胴部１８と一体的に形成されている。鍔部２０は、側面３０，３１から外方に向けて張り出している。鍔部２０は、突起３２における第２の部分３２ｂの面３２ｄと平行で且つ面３２ｄと対向する面２０ａを有している。
【００１９】
続いて、図７を参照して、ケース１４の構造について説明する。ケース１４には、ノイズを低減するためのフィルタを構成する図示しないコイルやコンデンサ等がその内部に搭載されている。ケース１４の一の側壁３４には、開口３６が形成されている。開口３６は、突起３２を含むＡＣインレット１２の胴部１８が挿通可能で且つＡＣインレット１２の鍔部２０が挿通不可能な形状となっている。具体的には、開口３６は、図６においてＹ軸方向（図示しないＡＣアウトレットのＡＣインレット１２への挿入方向）から鍔部２０を除くＡＣインレット１２胴部１８及び突起３２を見たときに、胴部１８及び突起３２の外形に対応した形状となっている。すなわち、開口３６の領域３６ａが胴部１８の外形に対応した略矩形状となっており、開口３６の領域３６ｂが突起３２の外形に対応した略矩形状となっている。
【００２０】
ケース１４の側壁３４には、開口３６の上部に略コ字状の開口３８が一対形成されており、開口３８によって側壁３４と交差する方向に屈曲可能な爪４０が構成されている。ケース１４の側壁３４には、開口３６の左右の両側に円形状の開口４２が一対形成されている。開口４２は、ＡＣインレットフィルタユニット１０を他の電気機器に取り付けるために、ねじやボルト等が挿通される挿通孔となっている。
【００２１】
続いて、図８を参照して、固定部品１６の構造について説明する。固定部品１６は、一対の固定部材４４と、連結部材４６とにより構成されている。固定部品１６は、例えば、金属、樹脂（プラスチック等）により成形される。
【００２２】
固定部材４４は、図８において鉛直方向に延びており、板状の第１の部分４４ａ及び第１の部分４４ａと一体的に形成された板状の第２の部分４４ｂを有している。第１の部分４４ａには、３つの凸部４８が形成されている。凸部４８は、第１の部分４４ａの延在方向と直交する方向に向かって円弧状に延びるように湾曲しており、第１の部分４４ａの面Ｓ側に向けて突出している。凸部４８を含めた第１の部分４４ａの厚みＷ１（図８（ｃ）参照）は、ＡＣインレット１２の胴部１８がケース１４の開口３６に挿通されてＡＣインレット１２の鍔部２０がケース１４の側壁３４に当接した状態におけるＡＣインレット１２の突起３２とケース１４の側壁３４との距離Ｌ（図５参照）よりも大きくなっている。第２の部分４４ｂは、第１の部分４４ａから第１の部分４４ａの面Ｓ側（凸部４８の突出方向）に突出している。そのため、固定部材４４は、横断面が略Ｌ字状となっている。
【００２３】
連結部材４６は、一対の固定部材４４を連結している。連結部材４６は、板状の第１の部分４６ａ及び第１の部分４６ａと一体的に形成された板状の第２の部分４６ｂを有している。第１の部分４６ａは、一対の固定部材４４の第１の部分４４ａと一体的に形成されている。このとき、一対の固定部材４４は、一の固定部材４４の第２の部分４４が他の固定部材４４寄りとなり且つ各第２の部分４４ｂが互いに対向するように連結部材４６によって連結されている。第１の部分４６ａには、各固定部材４４の上部に一対の開口５０が形成されている。これらの開口５０は、固定部品１６によってＡＣインレット１２がケース１４に取り付けられた際、ケース１４に設けられている一対の爪４０に対応する位置に配置されている。第２の部分４６ｂは、第１の部分４６ａから凸部４８の突出方向に突出している。そのため、連結部材４６は、縦断面が略Ｌ字状となっている。
【００２４】
続いて、図１〜図５に戻って、ＡＣインレットフィルタユニット１０の構成について説明する。ＡＣインレットフィルタユニット１０は、ＡＣインレット１２が固定部品１６によってケース１４に取り付けられることで構成されている。具体的には、ＡＣインレット１２の胴部１８はケース１４の開口３６に挿通され、ＡＣインレット１２の鍔部２０の面２０ａはケース１４の側壁３４と当接している。この状態において、固定部品１６の一対の固定部材４４の第１の部分４４ａはＡＣインレット１２の一対の突起３２の第２の部分３２ｂとケース１４の側壁３４との間にそれぞれ介在し、固定部品１６の一対の固定部材４４の第２の部分４４ｂはＡＣインレット１２の胴部１８における一対の突起３２の溝３２ｃにそれぞれ係合している。ケース１４に設けられた爪４０は、ケース１４の内側に折り曲げられて、固定部品１６における連結部材４６の開口５０と係合している。ＡＣインレット１２の底面２４側に貫通している一対のＡＣ電源端子２６及び１つのアース端子２８は、ケース１４内の図示しないコイルやコンデンサと電気的に接続されている。
【００２５】
続いて、図９及び図１０を参照して、固定部品１６によりＡＣインレット１２をケース１４に取り付ける方法を説明する。図９は、ＡＣインレットをケースに取り付ける一過程を示した図である。図１０は、図９の後続の過程を示した図である。
【００２６】
まず、胴部１８及び鍔部２０を有し、胴部１８に一対の突起３２が形成されたＡＣインレット１２と、側壁３４に開口３６、開口３８及び開口４２が形成されたケース１４とを用意する。そして、図９に示されるように、ＡＣインレット１２の胴部１８をケース１４の外側からケース１４の開口３６に挿通し、ＡＣインレット１２の鍔部２０の面２０ａをケース１４の側壁３４に当接させるようにする。続いて、図１０に示されるように、ＡＣインレット１２の鍔部２０の面２０ａがケース１４の側壁３４に当接した状態で、固定部材４４の第２の部分４４ｂを突起３２の溝３２ｃ内に上方から挿入し、固定部材４４の第１の部分４４ａの略全体が突起３２とケース１４の側壁３４との間に位置するまで固定部材４４の第２の部分４４ｂを突起３２の溝３２ｃに沿って下方にスライドさせる。これにより、固定部材４４の第２の部分４４ｂが突起３２の溝３２ｃと係合し、固定部材４４の第１の部分４４ａが突起３２とケース１４の側壁３４との間に介在することとなる。そして、ケース１４に設けられた爪４０をケース１４の内側に折り曲げて、爪４０と固定部品１６における連結部材４６の開口５０とを係合させる（図１、図５等参照）。こうして、固定部材４４によってＡＣインレット１２がケース１４に取り付けられることとなる。
【００２７】
以上のように、第１実施形態においては、固定部材４４の第２の部分４４ｂと突起３２の溝３２ｃとが係合されるようにしつつ、ケース１４の側壁３４と突起３２の第２の部分３２ｂとの間に固定部材４４の第１の部分４４ａを介在させている。このとき、固定部材４４における凸部４８を含めた第１の部分４４ａの厚みＷ１が、ＡＣインレット１２の胴部１８がケース１４の開口３６に挿通されてＡＣインレット１２の鍔部２０がケース１４の側壁３４に当接した状態におけるＡＣインレット１２の突起３２とケース１４の側壁３４との距離Ｌ（図５参照）よりも大きくなっているので、固定部材４４は、ＡＣインレット１２の突起３２とケース１４の側壁３４及びＡＣインレット１２の鍔部２０とによって挟持される。このため、固定部材４４の凸部４８がその突出方向とは逆方向に弾性変形して、固定部材４４の凸部４８には元の形状に戻ろうとする復元力が発生し、固定部材４４からＡＣインレット１２の突起３２とケース１４の側壁３４及びＡＣインレット１２の鍔部２０とに押圧力が付与されることとなる。この結果、固定部材４４からの押圧力によってＡＣインレット１２とケース１４の側壁３４とが押さえつけられ、ねじやスナップイン方式によってＡＣインレットをケースに取り付けていた従来と比べてケース１４に取り付けられたＡＣインレット１２にガタつきが発生し難くなり、ＡＣインレット１２とケース１４とを確実に固定することが可能となる。これにより、従来は、ＡＣインレットをケースに確実に固定するため、コイルに発生する熱を放熱するための樹脂をケース内に大量に注入していたが、第１実施形態では、コイルの放熱が図れる必要最小限の樹脂をケース１４内に注入すればよくなることから、従来よりも樹脂の使用量を大幅に減らすことが可能となる。
【００２８】
また、第１実施形態においては、上記のように、固定部材４４をＡＣインレット１２の突起３２とケース１４の側壁３４との間に挿入するだけでＡＣインレット１２をケース１４に取り付けることができるようになるので、ねじ等を用いる必要がなくなり、ＡＣインレット１２のケース１４への取り付けが容易となる。
【００２９】
また、第１実施形態では、固定部材４４が、第１の部分４４ａと第２の部分４４ｂとを有し、突起３２が胴部１８と第１の部分３２ａと第２の部分３２ｂとで囲まれる空間によって形成された溝３２ｃを有するので、固定部材４４と突起３２とを係合させる際に、固定部材４４の第２の部分４４ｂが溝３２ｃによってガイドされることとなる。そのため、固定部材４４を突起３２に対して容易に装着することができるようになると共に、突起３２に装着された固定部材４４が突起３２から外れてしまうことを防止することが可能となる。
【００３０】
また、第１実施形態においては、一対の固定部材４４が連結部材４６によって連結されている。そのため、複数の固定部材４４を別々に突起３２に対して装着する必要がなくなるので手間が省けるようになると共に、部品点数を減らすことが可能となる。
【００３１】
また、第１実施形態においては、ケース１４に設けられた爪４０をケース１４の内側に折り曲げて、爪４０と固定部品１６における連結部材４６の開口５０とを係合させているので、固定部品１６の抜けを防止することができると共に、ケース１４に取り付けられたＡＣインレット１２に生じるガタつきをより抑制することができる。
【００３２】
（第２実施形態）
続いて、図１１〜図１４を参照して、第２実施形態に係るＡＣインレットの取付構造が適用されたＡＣインレットフィルタユニット２１０について説明する。図１１は、第２実施形態に係るＡＣインレットの取付構造が適用されたＡＣインレットフィルタユニットの内側からＡＣインレットを見た図である。図１２は、図１１のＸＩＩ−ＸＩＩ線断面図である。図１３は、第２実施形態に係るＡＣインレットの取付構造が適用されたＡＣインレットフィルタユニットを構成するＡＣインレットを示す斜視図である。図１４は、第２実施形態に係るＡＣインレットの取付構造が適用されたＡＣインレットフィルタユニットを構成する固定部品を示す図であって、（ａ）が正面側斜視図であり、（ｂ）が背面側斜視図であり、（ｃ）が側面図である。以下では、第１実施形態に係るＡＣインレットの取付構造との相違点を中心に説明し、重複する説明は省略する。
【００３３】
ＡＣインレットフィルタユニット２１０は、ＡＣインレット２１２と、ケース２１４と、ＡＣインレット１２をケース２１４に取り付けるための固定部品２１６とを備えている。
【００３４】
ＡＣインレット２１２の各側面３０には、図１３に示されるように、一対の突起２３２が胴部１８と一体的にそれぞれ形成されている。突起２３２は、図１３において鉛直方向（Ｚ軸方向）に沿うように延びている。突起２３２は、第１の部分２３２ａと、第２の部分２３２ｂとを有している。第１の部分２３２ａは、胴部１８から外方に向けて突出している。第２の部分２３２ｂは、第１の部分２３２ａから鍔部２０に向かって突出している。突起２３２は、第１実施形態におけるＡＣインレット１２の突起３２よりも鉛直方向の長さが短くなっている。
【００３５】
ケース２１４には、一の側壁２３４に開口２３６が形成されている（図１２参照）。開口２３６は、突起２３２を含むＡＣインレット２１２の胴部１８が挿通可能で且つＡＣインレット２１２の鍔部２０が挿通不可能な形状となっている。具体的には、開口２３６は、図１３においてＹ軸方向（図示しないＡＣアウトレットのＡＣインレット２１２への挿入方向）から鍔部２０を除くＡＣインレット２１２の胴部１８及び突起２３２を見たときに、胴部１８及び突起２３２の外形に対応した形状となっている。
【００３６】
固定部品２１６は、図１４に示されるように、一対の固定部材２４４と、この一対の固定部材２４４を連結すると共に一対の固定部材２４４と一体的に形成された連結部材２４６とにより構成されている。
【００３７】
固定部材２４４は、板状の第１の部分２４４ａ及び第１の部分２４４ａと一体的に形成された板状の第２の部分４４ｂを有している。第１の部分２４４ａには、２つの凸部４８と、１つの係止片２４８とが形成されている。係止片２４８は、２つの凸部４８の下方に配設されている。係止片２４８は、その上端が自由端とされ且つその下端が第１の部分２４４ａと一体的に形成されて固定端とされることで第１の部分２４４ａに片持ち支持されており、図１３において鉛直上方に向かうにつれて第１の部分２４４ａから凸部４８の突出方向に傾斜したものとなっている。固定部材２４４における係止片２４８を含めた第１の部分２４４ａの厚みＷ２は、固定部材２４４における凸部４８を含めた第１の部分２４４ａの厚みＷ１よりも大きくなっている。
【００３８】
連結部材２４６は、第１の部分２４６ａ及び第１の部分２４６ａと一体的に形成された板状の第２の部分４６ｂを有している。第１の部分２４６ａは、一対の固定部材４４の第１の部分２４４ａと一体的に形成されている。なお、この第１の部分２４６ａには、第２実施形態と異なり、開口５０が形成されていない。
【００３９】
図１１及び図１２に戻って、ＡＣインレットフィルタユニット２１０は、ＡＣインレット２１２が固定部品２１６によってケース２１４に取り付けられることで構成されている。具体的には、ＡＣインレット２１２の胴部１８はケース２１４の開口２３６に挿通され、ＡＣインレット２１２の鍔部２０の面２０ａはケース１４の側壁３４と当接している。この状態において、固定部品２１６の一対の固定部材２４４の第１の部分２４４ａはＡＣインレット２１２の一対の突起２３２の第２の部分２３２ｂとケース２１４の側壁２３４との間にそれぞれ介在し、固定部品２１６の一対の固定部材２４４の第２の部分２４４ｂはＡＣインレット２１２の胴部１８における一対の突起２３２の溝３２ｃにそれぞれ係合している。固定部材２４４の係止片２４８は、突起２３２と接触しないように、突起２３２の下方に位置している。ＡＣインレット１２の底面２４側に貫通している一対のＡＣ電源端子２６及び１つのアース端子２８は、ケース１４内の図示しないコイルやコンデンサと電気的に接続されている。
【００４０】
続いて、固定部品２１６によりＡＣインレット２１２をケース２１４に取り付ける方法を説明する。
【００４１】
まず、胴部１８及び鍔部２０を有し、胴部１８に一対の突起２３２が形成されたＡＣインレット２１２と、側壁２３４に開口２３６が形成されたケース２１４とを用意する。そして、ＡＣインレット２１２の胴部１８をケース２１４の外側からケース２１４の開口２３６に挿通し、ＡＣインレット２１２の鍔部２０の面２０ａをケース２１４の側壁２３４に当接させるようにする。続いて、ＡＣインレット２１２の鍔部２０の面２０ａがケース２１４の側壁２３４に当接した状態で、固定部材２４４の第２の部分４４ｂを突起２３２の溝３２ｃ内に上方から挿入し、固定部材２４４の係止片２４８が突起２３２と接触しない突起２３２の下方に位置するまで固定部材２４４の第２の部分４４ｂを突起２３２の溝３２ｃに沿って下方にスライドさせる。これにより、固定部材２４４の第２の部分４４ｂが突起２３２の溝３２ｃと係合し、固定部材２４４の第１の部分２４４ａが突起２３２とケース１４の側壁２３４との間に介在することとなる。こうして、固定部材４４によってＡＣインレット１２がケース１４に取り付けられることとなる。
【００４２】
以上のように、第２に実施形態においては、固定部材２４４の第２の部分２４４ｂと突起２３２の溝３２ｃとが係合されるようにしつつ、ケース２１４の側壁２３４と突起２３２の第２の部分２３２ｂとの間に固定部材２４４の第１の部分２４４ａを介在させている。このとき、固定部材２４４における凸部４８を含めた第１の部分４４ａの厚みＷ１が、ＡＣインレット２１２の胴部１８がケース２１４の開口２３６に挿通されてＡＣインレット２１２の鍔部２０がケース２１４の側壁２３４に当接した状態におけるＡＣインレット２１２の突起２３２とケース２１４の側壁２３４との距離Ｌ（図１２参照）よりも大きくなっているので、固定部材２４４は、ＡＣインレット２１２の突起２３２とケース２１４の側壁２３４及びＡＣインレット２１２の鍔部２０とによって挟持される。このため、固定部材２４４の凸部４８がその突出方向とは逆方向に弾性変形して、固定部材２４４の凸部４８には元の形状に戻ろうとする復元力が発生し、固定部材２４４からＡＣインレット２１２の突起２３２とケース２１４の側壁２３４及びＡＣインレット２１２の鍔部２０とに押圧力が付与されることとなる。この結果、固定部材２４４からの押圧力によってＡＣインレット２１２とケース２１４の側壁２３４とが押さえつけられ、ねじやスナップイン方式によってＡＣインレットをケースに取り付けていた従来と比べてケース２１４に取り付けられたＡＣインレット２１２にガタつきが発生し難くなり、ＡＣインレット２１２とケース１４とを確実に固定することが可能となる。これにより、従来は、ＡＣインレットをケースに確実に固定するために、コイルに発生する熱を放熱するための樹脂をケース内に大量に注入していたが、第２実施形態では、コイルの放熱を図れる必要最小限の樹脂をケース２１４内に注入すればよくなることから、従来よりも樹脂の使用量を大幅に減らすことが可能となる。
【００４３】
また、第２実施形態においては、上記のように、固定部材２４４をＡＣインレット２１２の突起２３２とケース２１４の側壁２３４との間に挿入するだけでＡＣインレット２１２をケース２１４に取り付けることができるようになるので、ねじ等を用いる必要がなくなり、ＡＣインレット２１２のケース２１４への取り付けが容易となる。
【００４４】
また、第２実施形態では、固定部材２４４が、第１の部分２４４ａと第２の部分２４４ｂとを有し、突起２３２が胴部１８と第１の部分２３２ａと第２の部分２３２ｂとで囲まれる空間によって形成された溝３２ｃを有するので、固定部材２４４と突起２３２とを係合させる際に、固定部材２４４の第２の部分２４４ｂが溝３２ｃによってガイドされることとなる。そのため、固定部材２４４を突起２３２に対して容易に装着することができるようになると共に、突起２３２に装着された固定部材２４４が突起２３２から外れてしまうことを防止することが可能となる。
【００４５】
また、第２実施形態においては、一対の固定部材２４４が連結部材２４６によって連結されている。そのため、複数の固定部材２４４を突起２３２に対して別々に装着する必要がなくなるので手間が省けるようになると共に、部品点数を減らすことが可能となる。
【００４６】
また、第２実施形態においては、係止片２４８が固定部材２４４に形成されており、固定部材２４４における係止片２４８を含めた第１の部分２４４ａの厚みＷ２が、固定部材２４４における凸部４８を含めた第１の部分２４４ａの厚みＷ１よりも大きくなっている。そして、ＡＣインレット２１２が固定部材２４４によってケース２１４に取り付けられると、係止片２４８が突起２３２の下方に位置することとなる。そのため、固定部品２１６を上方に引き抜こうとしたときには、固定部材２４４が係止片２４８によって突起２３２に係止されることとなるので、係止片２４８によって固定部材２４４の突起２３２からの抜けを防止することができる。
【００４７】
以上、本発明の好適な実施形態について詳細に説明したが、本発明は上記した実施形態に限定されるものではない。例えば、第１及び第２実施形態では、ＡＣインレット１２，２１２の突起３２，２３２が溝３２ｃを有し、固定部材４４，２４４が第１の部分４４ａ，２４４ａ及び第２の部分４４ｂ，２４４ｂを有しており、突起３２，２３２の溝３２ｃと固定部材４４，２４４の第２の部分４４ｂ、２４４ｂとが係合するようになっていたが、これに限られない。
【００４８】
具体的には、図１５に示されるように、突起３３２が、第１の部分及び第２の部分を有しておらず、溝が形成されていないものであると共に、図１６に示されるように、固定部品３１６の固定部材３４４が第２の部分を有していないものであってもよい。突起３３２は、図１５において鉛直方向（Ｚ軸方向）に沿うように延びている。突起３３２は、ＡＣインレット３１２の鍔部２０の面２０ａと平行で且つ面２０ａと対向する面３３２ｄを有している。固定部材３４４は、円弧状に湾曲した凸部４８が３つ形成された板状体となっている。
【００４９】
このとき、図１７及び図１８に示されるように、ケース３１４の側壁３３４の内側に、鉛直方向（ＡＣインレット３１２の鍔部２０がケース３１４の側壁３３４に当接された状態における突起３３２の延在方向）に沿う複数の突起３５２を設けてもよい。このようにすると、固定部品３１６をケース１４の側壁３４とＡＣインレット３１２の突起３３２が有する面３３２ａとの間に介在させる際に、これらの突起３５２によって固定部材３４４がガイドされると共に固定部材３４４の脱落が防止されることとなる。なお、固定部材をガイドし且つ固定部材の脱落を防止する機能を有するものであれば、第１及び第２実施形態における固定部材４４，２４４の第２の部分４４ｂと突起３２，２３２の溝３２ｃとの係合構造や上記のような突起３５２に限らず用いることができる。
【００５０】
また、第１及び第２実施形態では、ＡＣインレット１２，２１２の突起３２，２３２とケース１４，２１４の壁面３４及びＡＣインレット１２，２１２の鍔部２０とに押圧力を与えるために、固定部材４４の第１の部分４４ａに凸部４８を形成したが、これに限られない。
【００５１】
具体的には、図１９及び図２０に示されるように、固定部材４４４，５４４の第１の部分４４４ａ，５４４ａに押圧片４４８，５４８を３つずつ形成してもよい。押圧片４４８は、その下端が自由端とされ且つその上端が固定部材４４４の第１の部分４４４ａと一体的に形成されて固定端とされることで第１の部分４４４ａに片持ち支持され、第１の部分４４４ａとは反対側（第１の部分４４４ａの面Ｓ側）に折り曲げられており、第１の部分４４４に向かって突出した円弧状となっている。押圧片５４８は、その下端が自由端とされ且つその上端が固定部材５４４の第１の部分５４４ａと一体的に形成されて固定端とされることで第１の部分５４４ａに片持ち支持され、第１の部分５４４ａとは反対側（第１の部分５４４ａの面Ｓ側）に折り曲げられており、第１の部分５４４ａとは反対側（第１の部分５４４ａの面Ｓ側）に向かって突出した円弧状となっている。従って、固定部材４４４，５４４がＡＣインレットの突起とケースの側壁及びＡＣインレットの鍔部とによって挟持された場合、これらの押圧片４４８，５４８には第１の部分４４４ａ，５４４ａとは反対側（第１の部分４４４ａ，５４４ａの面Ｓ側）に戻ろうとする復元力が発生し、固定部材４４４，５４４からＡＣインレットの突起とケースの側壁及びＡＣインレットの鍔部とに押圧力が付与されることとなる。なお、自身の復元力によってＡＣインレットの突起とケースの側壁及びＡＣインレットの鍔部とに押圧力を与えることができるものであれば、凸部４８や押圧片４４８，５４８に限らず用いることができる。
【００５２】
また、第１及び第２実施形態では、固定部材４４，２４４の第１の部分４４ａ，２４４ａに凸部４８を設けて、ＡＣインレット１２，２１２の突起３２，２３２とケース１４，２１４の側壁３４，２３４及びＡＣインレット１２，２１２の鍔部２０とに押圧力を付与していたが、これに限られない。
【００５３】
具体的には、図２１に示されるように、固定部品６１６の固定部材６４４の第１の部分６４４ａを凸部４８が形成されていない平板状とすると共に、ケース６１４の内側に向けて突出し且つ円弧状又は半球殻状の凸部６４８をケース６１４の側壁６３４に形成するようにしてもよい。また、図２２に示されるように、固定部品７１６の固定部材７４４の第１の部分７４４ａを凸部４８が形成されていない平板状とすると共に、ＡＣインレット７１２の突起７３２における第２の部分７３２ｂの面７３２ｄに略半円柱状又は略半球状の突起７４８を形成するようにしてもよい。面７３２ｄは、ＡＣインレット７１２の鍔部２０の面２０ａと平行で且つ面２０ａと対向する面となっている。さらに、図２３に示されるように、固定部品８１６における固定部材８４４の第１の部分８４４ａを凸部４８が形成されていない厚板状としてもよい。このとき、固定部材８４４のケース１４とＡＣインレット８１２の突起８３２との間への挿入が容易となるよう、突起８３２の第２の部分８３２ｂにおける上部の角部に面取りが形成されている。これらの場合においても、第１の部分６４４ａ，７４４ａ，８４４ａの厚みは、ＡＣインレット１２，７１２，８１２がケース６１４，１４に取り付けられた状態におけるＡＣインレット１２，７１２，８１２の突起３２，７３２，８３２とケース６１４，１４の側壁６３４，３４との距離よりも大きくなっている。
【００５４】
また、第１実施形態では、ケース１４の側壁３４に、固定部品１６における連結部材４６の第１の部分４６ａに形成された開口５０と係合可能な爪４０が構成されていたが、これに限られない。
【００５５】
具体的には、図２４及び図２５に示されるように、固定部品９１６における連結部材９４６の第１の部分９４６ａに略コ字状の開口９３８を一対形成することで、連結部材９４６と交差する方向に屈曲可能な爪９４０を構成し、ケース９１４の側壁９３４に爪９４０と係合される開口９５０を形成してもよい。
【００５６】
また、第１及び第２実施形態では、一対の突起３２，２３２がＡＣインレット１２，２１２の胴部１８の一対の側面３０に形成されていたが、これに限られない。具体的には、一対の突起３２，２３２をＡＣインレット１２，２１２の胴部１８の一対の側面３１に形成してもよい。また、側面３０，３１のうちから選択される１〜３つの側面に突起３２，２３２をそれぞれ形成してもよく、側面３０，３１の全ての側面に突起３２，２３２を形成してもよい。これらの場合においても、突起３２，２３２における第２の部分３２ｂ，２３２ｂの面３２ｄとＡＣインレット１２，２１２の鍔部２０の面２０ａとが平行で且つ対向するように、突起３２，２３２が配設されている。
【図面の簡単な説明】
【００５７】
【図１】第１実施形態に係るＡＣインレットの取付構造が適用されたＡＣインレットフィルタユニットを示す正面側斜視図である。
【図２】第１実施形態に係るＡＣインレットの取付構造が適用されたＡＣインレットフィルタユニットを示す背面側斜視図である。
【図３】第１実施形態に係るＡＣインレットの取付構造が適用されたＡＣインレットフィルタユニットを示す正面図である。
【図４】第１実施形態に係るＡＣインレットの取付構造が適用されたＡＣインレットフィルタユニットの内側からＡＣインレットを見た図である。
【図５】図４のＶ−Ｖ線断面図である。
【図６】第１実施形態に係るＡＣインレットの取付構造が適用されたＡＣインレットフィルタユニットを構成するＡＣインレットを示す斜視図である。
【図７】第１実施形態に係るＡＣインレットの取付構造が適用されたＡＣインレットフィルタユニットを構成するケースを示す斜視図である。
【図８】第１実施形態に係るＡＣインレットの取付構造が適用されたＡＣインレットフィルタユニットを構成する固定部品を示す図である。
【図９】ＡＣインレットをケースに取り付ける一過程を示した図である。
【図１０】図９の後続の過程を示した図である。
【図１１】第２実施形態に係るＡＣインレットの取付構造が適用されたＡＣインレットフィルタユニットの内側からＡＣインレットを見た図である。
【図１２】図１１のＸＩＩ−ＸＩＩ線断面図である。
【図１３】第２実施形態に係るＡＣインレットの取付構造が適用されたＡＣインレットフィルタユニットを構成するＡＣインレットを示す斜視図である。
【図１４】第２実施形態に係るＡＣインレットの取付構造が適用されたＡＣインレットフィルタユニットを構成する固定部品を示す図である。
【図１５】第３実施形態に係るＡＣインレットの取付構造が適用されたＡＣインレットフィルタユニットを構成するＡＣインレットを示す斜視図である。
【図１６】第３実施形態に係るＡＣインレットの取付構造が適用されたＡＣインレットフィルタユニットを構成する固定部品を示す図である。
【図１７】第３実施形態に係るＡＣインレットの取付構造が適用されたＡＣインレットフィルタユニットを示す背面側斜視図である。
【図１８】第３実施形態に係るＡＣインレットの取付構造が適用されたＡＣインレットフィルタユニットの内側からＡＣインレットを見た図である。
【図１９】第４実施形態に係るＡＣインレットの取付構造が適用されたＡＣインレットフィルタユニットを構成する固定部品を示す図である。
【図２０】第５実施形態に係るＡＣインレットの取付構造が適用されたＡＣインレットフィルタユニットを構成する固定部品を示す図である。
【図２１】図４のＶ−Ｖ線と同じ位置における、第６実施形態に係るＡＣインレットの取付構造が適用されたＡＣインレットフィルタユニットの断面図である。
【図２２】図４のＶ−Ｖ線と同じ位置における、第７実施形態に係るＡＣインレットの取付構造が適用されたＡＣインレットフィルタユニットの断面図である。
【図２３】図４のＶ−Ｖ線と同じ位置における、第８実施形態に係るＡＣインレットの取付構造が適用されたＡＣインレットフィルタユニットの断面図である。
【図２４】第９実施形態に係るＡＣインレットの取付構造が適用されたＡＣインレットフィルタユニットを構成する固定部品を示す図である。
【図２５】（ａ）は第９実施形態に係るＡＣインレットの取付構造が適用されたＡＣインレットフィルタユニットを示す正面側斜視図であり、（ｂ）は第９実施形態に係るＡＣインレットの取付構造が適用されたＡＣインレットフィルタユニットの内側からＡＣインレットを見た図である。
【符号の説明】
【００５８】
１２，２１２，３１２，７１２，８１２…ＡＣインレット、１４，２１４，３１４，６１４，９１４…ケース（被取付部材）、１６，２１６，３１６、４１６，５１６，６１６，７１６，８１６…固定部品、１８…胴部、２０…鍔部、２０ａ…面、３２，３３２…突起、３２ａ，２３２ａ…第１の部分、３２ｂ，２３２ｂ…第２の部分、３２ｃ…溝、３２ｄ…面、３４，３３４，６３４，９３４…側壁、３６…開口、４４，２４４，３４４，４４４，５４４，６４４，７４４…固定部材、４４ａ，２４４ａ，６４４ａ，７４４ａ…第１の部分、４４ｂ…第２の部分、４６，９４６…連結部材、４８，６４８…凸部、４４８，５４８…押圧片。
【図１】
2008034303.tif 000003
【図２】
2008034303.tif 000004
【図３】
2008034303.tif 000005
【図４】
2008034303.tif 000006
【図５】
2008034303.tif 000007
【図６】
2008034303.tif 000008
【図７】
2008034303.tif 000009
【図８】
2008034303.tif 000010
【図９】
2008034303.tif 000011
【図１０】
2008034303.tif 000012
【図１１】
2008034303.tif 000013
【図１２】
2008034303.tif 000014
【図１３】
2008034303.tif 000015
【図１４】
2008034303.tif 000016
【図１５】
2008034303.tif 000017
【図１６】
2008034303.tif 000018
【図１７】
2008034303.tif 000019
【図１８】
2008034303.tif 000020
【図１９】
2008034303.tif 000021
【図２０】
2008034303.tif 000022
【図２１】
2008034303.tif 000023
【図２２】
2008034303.tif 000024
【図２３】
2008034303.tif 000025
【図２４】
2008034303.tif 000026
【図２５】
2008034303.tif 000027